(57)【特許請求の範囲】
【請求項１】
燃料電池と、
前記燃料電池に発電用のガスを供給する供給ガス通路と、
前記燃料電池内若しくはその上流で不凍液から純水を選択的に透過させる隔壁を介して前記供給ガス通路に隣接する不凍液通路と、
前記不凍液による水蒸気分圧が前記供給ガスの水蒸気分圧よりも高くなるように前記不凍液の温度を調整する温度調整手段と、
を備え、
前記隔壁における不凍液による水蒸気分圧と供給ガスの水蒸気分圧の差により、前記不凍液通路から前記供給ガス通路に水分の移動を行わせ、前記供給ガスを加湿するように構成したことを特徴とする燃料電池システム。
【請求項２】
前記不凍液通路に前記燃料電池の排出ガスの露点温度以下となるように温度調節された水分回収装置を設け、
前記水分回収装置に前記排出ガスを通過させることにより、前記排出ガスから水分と熱量の両方を前記不凍液通路内へ回収するように構成したことを特徴とする請求項１に記載の燃料電池システム。
【請求項３】
前記水分回収装置は、前記排出ガスの露点温度以下の不凍液で満たされており、バブリングにより前記排出ガスの水分と熱量の回収を行い、回収した水分と熱量を前記不凍液へ付加することを特徴とする請求項２に記載の燃料電池システム。
【請求項４】
前記供給ガスの温度を検出する手段と、
検出された供給ガスの温度に基づき不凍液目標温度を算出する手段と、
をさらに備え、
前記温度調整手段は、前記不凍液の温度が前記不凍液目標温度になるように前記不凍液の温度を調整する、
ことを特徴とする請求項１に記載の燃料電池システム。
【請求項５】
前記不凍液通路において前記隔壁部分を迂回するバイパス通路と、
前記不凍液の温度に応じて前記バイパス通路の流量を調節する流量調節手段と、
をさらに備えたことを特徴とする請求項１に記載の燃料電池システム。
【請求項６】
前記不凍液通路と、前記燃料電池を冷却するための不凍液通路とが独立していることを特徴とする請求項２に記載の燃料電池システム。
【請求項７】
前記燃料電池冷却用不凍液通路における前記燃料電池冷却後の不凍液と熱交換を行う熱交換器を、前記不凍液通路の水分回収装置の下流にさらに備えたことを特徴とする請求項６記載の燃料電池システム。
【発明の詳細な説明】
【０００１】
【産業上の利用分野】
本発明は車両用の燃料電池システムに関し、特に加湿が必要な燃料電池を備えたものに関する。
【０００２】
【従来の技術】
特開平9-7621号は、燃料電池スタックにおいて、水を液相のまま直接スタック内まで導き、多孔質材を介して燃料電池スタックに供給するガスを加湿する構造及び方法を開示している。これによれば、周囲をガスシールした多孔質カーボンプレート又は積層カーボンペーパよりなる加湿エリアのガス加湿プレートの片面にガスを流通させ、他の片面に発電エリアのスタックを冷却してきた水をガスより僅かに高い圧力で流通させて、ガスの加湿が行われる。
【０００３】
またガス加湿器は多孔質のカーボンプレート又は積層カーボンペーパの周囲と、ガスと水の入口と出口付近とがガス不透過部分とされ、内側がガス透過部分とされ、そのガス透過部分の片面にガス流通部が形成され、他の片面に水流通部が形成されたガス加湿プレートが多数積層締着されている。これにより、効率良く自動的に適正に加湿でき、またＰＥＭ型燃料電池を小型化することができる。
【０００４】
【発明が解決しようとしている問題点】
しかし、上記従来の加湿構造では、絶縁性等を考慮すると燃料電池スタックに導く冷却及び加湿用の水は極めて電気伝導度の低い純水であることが必要であり、−２０℃レベルの極低温下においてはこの純水が凍ってしまい、起動できなくなるという問題があった。また、凍結時の相変態により純水に体積変化が発生し、熱交換器等が破損してしまう可能性もあった。
【０００５】
本発明は、このような技術的課題を鑑みてなされたものであり、氷点下、極低温下においても、燃料電池スタックへの供給ガスを加湿し、起動させることが可能な燃料電池システムを実現することを目的とする。
【０００６】
【問題点を解決するための手段】
第１の発明は、燃料電池システムにおいて、燃料電池と、前記燃料電池に発電用のガスを供給する供給ガス通路と、前記燃料電池内若しくはその上流で不凍液から純水を選択的に透過させる隔壁を介して前記供給ガス通路に隣接する不凍液通路と、前記不凍液による水蒸気分圧が前記供給ガスの水蒸気分圧よりも高くなるように前記不凍液の温度を調整する温度調整手段とを備え、前記隔壁における不凍液による水蒸気分圧と供給ガスの水蒸気分圧の差により、前記不凍液通路から前記供給ガス通路に水分の移動を行わせ、前記供給ガスを加湿するように構成したことを特徴とするものである。
【０００７】
第２の発明は、第１の発明における不凍液通路に前記燃料電池の排出ガスの露点温度以下となるように温度調節された水分回収装置を設け、前記水分回収装置に前記排出ガスを通過させることにより、前記排出ガスから水分と熱量の両方を前記不凍液通路内へ回収するように構成したものである。
【０００８】
第３の発明は、第２の発明における水分回収装置が、前記排出ガスの露点温度以下の不凍液で満たされており、バブリングにより前記排出ガスの水分と熱量の回収を行い、回収した水分と熱量を前記不凍液へ付加するものである。
【００１０】
第４の発明は、第１の発明において、前記供給ガスの温度を検出する手段と、検出された前記供給ガスの温度に基づき不凍液目標温度を算出する手段とをさらに備え、前記温度調整手段が前記不凍液の温度が前記不凍液目標温度になるように前記不凍液の温度を調整するものである。
【００１１】
第５の発明は、第１の発明において、前記不凍液通路において前記隔壁部分を迂回するバイパス通路と、前記不凍液の温度に応じて前記バイパス通路の流量を調節する流量調節手段とをさらに備えたものである。
【００１２】
第６の発明は、第２の発明において、前記不凍液通路と、前記燃料電池を冷却するための不凍液通路とを独立させたものである。
【００１３】
第７の発明は、第６の発明において、前記燃料電池冷却用不凍液通路における前記燃料電池冷却後の不凍液と熱交換を行う熱交換器を、前記不凍液通路の水分回収装置の下流にさらに備えたものである。
【００１４】
【作用及び効果】
したがって、本発明によれば、不凍液による水蒸気分圧が供給ガスの水蒸気分圧よりも高くなるように不凍液の温度が調整され、燃料電池に供給する発電用ガスの加湿は不凍液通路から隔壁を介し供給される水分によって行われるので、加湿用の水として純水が不要になる。燃料電池システム内に存在する液相は不凍液のみとなることからシステム内で水の凍結は起こらなくなり、氷点下、極低温下（−５０℃レベル含む）においても供給ガスを加湿し、起動することが可能な燃料電池システムを実現することができる。
【００１５】
また、第２の発明によれば、供給ガスの加湿によって失われた不凍液中の水分を燃料電池の排出ガスから回収した水分で補うことができ、水分補充手段を別途設ける必要がなくなる。また、同時に排出ガスより熱量を回収することができるので、排出ガス冷却系の負担を軽減させることもできる。
【００１６】
また、第３の発明によれば、水分回収装置を駆動するための電力等が不要となるので、車両のように場所と供給エネルギの限られた移動体に適した燃料電池システムを提供することができる。
【００１８】
また、第４の発明によれば、常に最適量の水分にて供給ガスを加湿することができ、燃料電池の運転状況に応じたよりきめ細かい制御が可能となる。加えて不凍液を加熱する為に必要十分なエネルギを供給できるので、供給ガスの加湿を非常に効率良く行うことができる。
【００１９】
また、第５の発明によれば、循環している不凍液のうち必要且つ十分な量だけを供給ガスの加湿に用いることができ、不凍液の温度制御を行う場合に不凍液全量を昇温する必要がなくなる。この結果、温度制御に消費されるエネルギ量を低減するとともに、供給ガスの加湿に必要ない不凍液は昇温されることないので、不凍液を冷却する熱交換器の熱負荷を軽減させることができる。
【００２０】
また、第６の発明によれば、燃料電池の冷却用の不凍液、加湿用の不凍液のそれぞれの循環流量、温度等を別々に制御することができるので、燃料電池の冷却と供給ガスの加湿のそれぞれに特化した制御が可能となる。
【００２１】
また、第７の発明によれば、燃料電池の冷却を行った高温の不凍液と、回収タンクにて露点温度以下に下げられた低温の不凍液との間で熱交換が行われるので、燃料電池冷却用の不凍液を冷却する熱交換器の熱負荷、及び供給ガス加湿用の不凍液を昇温するのに必要なエネルギ量を軽減することができ、車両全体としての熱利用効率を向上させることができる。
【００２２】
【発明の実施の形態】
以下、添付図面に基づき本発明の実施の形態について説明する。
【００２３】
図１は、本発明に係る車両用燃料電池システムの概略構成を示したものである。燃料電池スタック１１は、改質ガス、空気をアノード（燃料極）、カソード（空気極）にそれぞれ供給する供給ガス通路１２ａ、１２ｂと、アノード排気、カソード排気を排出するための排出ガス通路１３ａ、１３ｂとを備え、燃料電池スタック１１の上流には、不凍液から純水を選択的に透過させる機能を有する隔壁１４が設けられている。隔壁１４は例えばイオン交換膜であり、隔壁１４を介して、一方には燃料電池スタック１１へ導かれる供給ガスが、他方には供給ガスを加湿する為の水分を提供する不凍液がそれぞれ流れている。不凍液は、例えば、ロングライフクーラント（ＬＬＣ、水とエチレングリコールの混合液体）である。なお、隔壁１４に接する供給ガスは図では改質ガスとなっているが、これは水素タンクから供給される純水素ガスや空気であっても良く、また、改質ガス、空気の両方に接する構成であっても良い（他の実施形態も同様）。
【００２４】
不凍液通路１５には、不凍液を循環させるためのポンプ１６と、不凍液と外気との間での熱交換により不凍液を冷却するためのラジエータ（熱交換器）１７が設けられている。さらに、不凍液通路１５には水分回収装置としての回収タンク１８が設けられている。
【００２５】
燃料電池スタック１の冷却を終了した不凍液は隔壁１４へ達する。隔壁１４へと導かれた不凍液は、燃料電池スタック１１の冷却を終えた後に導かれることから高温となっており、隔壁１４を挟んで反対側を流れる供給ガスが有する水蒸気分圧よりも高い水蒸気分圧が得られる不凍液温度となっている。これにより、隔壁１４は、水蒸気分圧の高い不凍液側から水蒸気分圧の低い供給ガス側へ水分を選択的に透過させることができ、燃料電池スタック１１へ導かれる供給ガスを隔壁１４を介して供給される水分によって加湿することができる。
【００２６】
隔壁１４を経た不凍液は外気と熱交換を行うラジエータ１７で排出ガスの露点温度以下に冷却された後、回収タンク１８へと導かれる。回収タンク１８へは不凍液に加え、燃料電池スタック１１におけるカソードからの排出ガス通路１３ｂが導かれている。また、燃料電池スタック１１からの排出ガスには発電時に副次的に発生した生成水が多く含まれている。
【００２７】
したがって、回収タンク１８は、スタック排出ガスの露点温度以下である不凍液で満たされており、バブリングにより水分と熱量の回収を行うと同時に、その際に発生する気泡の浮力を利用した気泡ポンプ作用（回収タンク１８内に生じる対流）により、排出ガスに含まれた生成水成分及び熱量の両方を不凍液に回収する。隔壁１４で水分を分離された不凍液が回収タンク１８において水分を回収することができるので、不凍液の水分は略一定に保たれ、純水タンク等の水分補充手段を別途設けなくても燃料電池システムとしての水収支を成立させることができる。
【００２８】
なお、回収タンク１８内の不凍液温度を排出ガスの露点温度以下にするには、不凍液温度はラジエータ１７の出口で最も低くなることから回収タンク１８をラジエータ１７の出口近くに設けるのが最も有利である。
【００２９】
また、図１においては、燃料電池スタック１１に供給されるガスの加湿を燃料電池スタック１１の直前で行っているが、図２に示すように隔壁１４を燃料電池スタック１１内に設け、燃料電池スタック１１に供給するガスの加湿を燃料電池スタック１１の内部で行うようにしてもよい。
【００３０】
次に、第２の実施形態について説明する。なお、第１の実施形態における、不凍液からの隔壁を介した水分選択分離による供給ガスの加湿、回収タンクにおける排出ガスからの水分及び熱量の不凍液への回収は、本実施形態においても同様に行われるものとする。
【００３１】
図３は第２の実施形態の概略構成を示したものである。燃料電池スタック３１は供給ガス通路３２ａ、３２ｂ及び排出ガス通路３３ａ、３３ｂを備え、燃料電池スタック３１の上流には、不凍液から純水を選択的に通過させる機能を有する隔壁３４が設けられている。この隔壁３４を介して、一方には燃料電池スタック３１へ導かれる供給ガスが、他方には供給ガスを加湿する為の水分を提供する不凍液が、それぞれ流れている。
【００３２】
不凍液通路３５には、不凍液を循環させるためのポンプ３６と、外気と不凍液との間で熱交換を行うことで不凍液を冷却する為のラジエータ３７とが設けられている。ラジエータ３７は冷却ファンの回転速度を調節することにより放熱量を調節することができる。さらに、不凍液通路３５には回収タンク３８が設けられており、回収タンク３８へは燃料電池スタック３１のカソードからの排出ガス通路３３ｂが導かれている。
【００３３】
さらに、不凍液通路３５には、燃料電池スタック３１の出口と隔壁３４の間にヒータ等の温度調節装置３９が設けられており、また隔壁３４に導かれる不凍液の温度及び供給ガスの温度を計測する為に、隔壁３４と接する部位にそれぞれ温度センサ４１、４２が設けられている。温度センサ４１、４２及び、温度調節装置３９、ポンプ３６、ラジエータ３７は、加湿制御を行うコントローラ４０に電気信号的に接続されている。
【００３４】
コントローラ４０による供給ガスの加湿制御においては、まず、温度センサ４１により、隔壁３４に接する燃料電池スタック３１への供給ガスの温度が測定され、その供給ガスにおける飽和水蒸気量が算出される。
【００３５】
次に、不凍液が隔壁３４を介してその飽和水蒸気量に見合った水分を供給するのに必要な温度（不凍液目標温度）が算出され、不凍液温度がその目標温度となるように温度センサ４２にてモニタしつつ、不凍液通路３５に設けた温度調節装置３９の加熱量、ポンプ３６の流量、及びラジエータ３７の放熱性能が制御される。
【００３６】
これにより、先の実施形態に比べて燃料電池スタック３１の運転状態に応じたよりきめ細かい加湿制御が可能となり、供給ガスの加湿を非常に効率良く行うことができる。
【００３７】
なお、図３においては、燃料電池スタック３１に導かれる供給ガスの加湿を燃料電池スタック３１の直前で行っているが、第１の実施形態と同様に、図４に示すように隔壁３４を燃料電池スタック３１内に設け、燃料電池スタック３１内部で加湿を行うようにしてもよい。
【００３８】
次に、第３の実施形態について説明する。
【００３９】
先の実施形態における、不凍液からの隔壁を介した水分選択分離による供給ガスの加湿、回収タンクにおける排出ガスからの水分及び熱量の不凍液への回収、隔壁に接する供給ガス及び不凍液の温度センシングによる不凍液通路における温度調節装置の加温量、ポンプの循環流量、及びラジエータの放熱性能を調節することによる不凍液の温度制御は、本実施形態においても同様に行われるものとする。
【００４０】
図５は第３の実施形態の概略構成を示したものである。燃料電池スタック５１は、供給ガス通路５２ａ、５２ｂ及び排出ガス５３ａ、５３ｂを備え、燃料電池スタック５１の上流には不凍液から純水を選択的に透過させる機能を有する隔壁５４が設けられている。隔壁５４を介して、一方には燃料電池スタック５１へ導かれる供給ガスが、他方には供給ガスを加湿する為の水分を提供する不凍液がそれぞれ流れている。
【００４１】
不凍液通路５５には、不凍液を循環させるためのポンプ５６と、外気と不凍液との間で熱交換を行うことで不凍液を冷却する為のラジエータ５７とが設けられている。ラジエータ３７は冷却ファンの回転速度を調節することにより放熱量を調節することができる。また、不凍液通路５５には回収タンク５８が設けられており、回収タンク５８へは燃料電池スタック５１のカソードからの排出ガス通路５３ｂが導かれている。
【００４２】
不凍液通路５５のスタック出口と隔壁５４の間にはヒータ等の温度調節装置５９が設けられており、また隔壁３４に導かれる不凍液の温度及び供給ガスの温度を計測する為に、隔壁３４と接する部位にそれぞれ温度センサ６１、６２が設けられている。これら温度センサ６１、６２及び、温度調節装置５９、ポンプ５６、ラジエータ５７は、コントローラ６０と電気信号的に接続されている。
【００４３】
さらに、不凍液通路５５には、燃料電池スタック５１の出口と温度調節装置５９との間に流量調節装置（サーモスタット等）６３が設けられており、ここから温度調節装置５９、隔壁５４を迂回するバイパス通路６４が分岐している。バイパス通路６４は、ポンプ５６の手前で不凍液通路５５に接続する。
【００４４】
上述の構成により、例えば温度調節装置５９にて不凍液に更なる加温が必要な場合でも、供給ガス加湿に必要最小限量の不凍液のみ加温を行い隔壁５４へ導き、それ以外の不凍液はバイパス通路６４を介して直接ラジエータ５７に流通させ冷却させることができる。
【００４５】
この結果、供給ガス加湿の為に温度調節装置５９にて不凍液に供給する熱エネルギが必要最小限になるので、温度調節装置５９の熱負荷を軽減することができる。また、ラジエータ５７にて冷却しなければならない熱量を最小限とすることができるので、燃料電池システムにおける熱効率を向上させることができる。
【００４６】
なお、図５においては、燃料電池スタック５１に導かれる供給ガスの加湿を燃料電池スタック５１の直前にて行っているが、他の実施形態と同様に図６に示すように隔壁５４を燃料電池スタック５１内に設け、燃料電池スタック５１内で加湿を行うようにしても良い
次に、第４の実施形態について説明する。
【００４７】
先の実施形態における、不凍液からの隔壁を介した水分選択分離による供給ガスの加湿、回収タンクにおける排出ガスからの水分及び熱量の不凍液への回収、隔壁に接する供給ガス及び不凍液の温度センシングによる不凍液通路における温度調節装置の加温量、ポンプの循環流量、及びラジエータの放熱性能を調節することによる不凍液の温度制御は、本実施形態においても同様に行われるものとする。
【００４８】
図７は第４の実施形態の概略構成図を示したものである。燃料電池スタック７１は供給ガス通路７２ａ、７２ｂ及び排出ガス通路７３ａ、７３ｂを備え、燃料電池スタック７１の上流には、不凍液から純水を選択的に透過させる機能を有する隔壁７４が設けられている。この隔壁７４を介して、一方には燃料電池スタック７１へ導かれる供給ガスが、他方には供給ガスを加湿する為の水分を提供する不凍液がそれぞれ流れている。
【００４９】
燃料電池システムは、燃料電池スタック７１の冷却用の不凍液通路７５と供給ガスの加湿用の不凍液通路７８とを有し、不凍液通路７５には、不凍液を循環させるためのポンプ７９と、外気と不凍液通路７５内の不凍液との間で熱交換を行うことで不凍液を冷却する為のラジエータ７７が設けられている。一方、不凍液通路７８には、不凍液を循環させるためのポンプ７９と、外気と不凍液通路７８内の不凍液との間で熱交換を行うことで不凍液を冷却する為のサブラジエータ８０と、回収タンク８１とが設けられており、この回収タンク８１へは燃料電池スタック７１のカソードからの排出ガス通路７３ｂが導かれている。ラジエータ７７、８０は冷却ファンの回転速度を調節することによって放熱性能を調節することができる。
【００５０】
不凍液通路７８の回収タンク８１と隔壁７４の間にはヒータ等の温度調節装置８２が設けられている。また隔壁７４に導かれる不凍液の温度及び供給ガスの温度を計測する為に、隔壁７４と接する部位にそれぞれ温度センサ８４、８５が設けられている。これら温度センサ８４、８５及び、温度調節装置８２、ポンプ７９、サブラジエータ８０は、コントローラ８３と電気信号的に接続されている。
【００５１】
不凍液通路７８の不凍液は隔壁７４へ達し、隔壁７４を挟んで不凍液通路７８と反対側には燃料電池スタック７１へ導かれる供給ガスが流れている。隔壁７４へ導かれる不凍液は、以下に示すようにコントローラ８３により温度制御される。
【００５２】
不凍液の温度制御では、まず、温度センサ８４にて隔壁７４に接する燃料電池スタック７１への供給ガスの温度が測定され、その供給ガスにおける飽和水蒸気量がコントローラ８３において算出される。
【００５３】
次に、不凍液が前記隔壁７４を介して、その飽和水蒸気量に見合った水分を供給するのに必要な不凍液の温度（不凍液目標温度）が算出され、不凍液温度がその目標温度となるように温度センサ８５にてモニタしつつ、不凍液通路７８に設けた温度調節装置８２の加熱量、ポンプ７９の流量、及びサブラジエータ８０の放熱性能が調節される。
【００５４】
このような不凍液の温度制御により、隔壁７４は、水蒸気分圧の不凍液側から水蒸気分圧の低い供給ガス側へ水分を選択的に透過させることができ、燃料電池スタック７１へ導かれる供給ガスを、隔壁７４を介して不凍液から選択的に供給される水分にて加湿することができる。
【００５５】
隔壁７４を経た不凍液は外気と熱交換を行うサブラジエータ８０にて冷却され回収タンク８１へと導かれる。回収タンク８１へは不凍液通路７８に導かれる不凍液に加え、燃料電池スタック７１のカソードからの排出ガス通路７３ｂが導かれており、この排出ガスには燃料電池スタック７１にて発電時に副作用的に発生した生成水が多く含まれている。また不凍液は、サブラジエータ８０にて冷却される際に、予め回収タンク８１へ導かれる排出ガスの露点温度以下に冷却される。
【００５６】
したがって、回収タンク８１はスタック排出ガスの露点温度以下である不凍液で満たされており、バブリングにより水分と熱量の回収を行うと同時に、その際に発生する気泡の浮力を利用した気泡ポンプ作用にて、スタック排出ガスに含まれた生成水成分及び熱量の両方を不凍液に回収する。
【００５７】
これらの作用により、隔壁７４にて水分を分離された不凍液が水分を回収することができ、純水タンク等の水分補充手段を別途設けることなく、燃料電池システムとしての水収支を成立させることができる。また、この実施形態においては、スタック冷却系である不凍液通路７５と、供給ガス加湿系である不凍液通路７８が完全に独立しているので、循環流量、温度等を別々に制御することができ、スタック冷却と供給ガス加湿のそれぞれに特化した制御が可能となる。
【００５８】
さらに、本実施形態においては、不凍液通路７５における燃料電池スタック７１の出口と、不凍液通路７８における回収タンク８１出口との間で熱交換を可能とする第３のラジエータ８６が設けられている。これにより、スタック冷却を目的とした不凍液通路７５におけるスタック冷却後の高温の不凍液と、供給ガス加湿を目的とした不凍液通路７８における低温の不凍液との間で熱交換が行われ、ラジエータ７７の熱負荷及び温度調節装置８２の昇温負荷を軽減することができ、車両全体としての熱利用効率を向上させることができる。
【００５９】
なお、図７においては、燃料電池スタック７１に導かれる供給ガスの加湿をスタック直前で行っているが、他の実施形態と同様に図８に示すように、隔壁７４を燃料電池スタック７１内に設け、燃料電池スタック７１内で加湿を行うようにしても良い。
【００６０】
また、上記第１から第４の実施形態では、不凍液から純水を選択的に透過させる機能を有する隔壁としてイオン交換膜を用いているが、同様の機能を有する部材であればそれを上記隔壁として用いることができる。また、不凍液としてロングライフクーラントを用いているが、極低温にて凍結することがなく、且つ上記隔壁にて純水を分離することが可能な混合液体、即ち、互いの分子の大きさが上記隔壁にて純水と分離可能な大きさを有する混合液体であれば、上記不凍液として用いることができる。
【図面の簡単な説明】
【図１】本発明に係る車両搭載用燃料電池システムの概略構成図である
【図２】第１の実施形態の一部変更例である。
【図３】本発明の第２の実施形態の概略構成図である。
【図４】第２の実施形態の一部変更例である。
【図５】本発明の第３の実施形態の概略構成図である。
【図６】第３の実施形態の一部変更例である。
【図７】本発明の第４の実施形態の概略構成図である。
【図８】第４の実施形態の一部変更例である。
【符号の説明】
１１、３１、５１、７１  燃料電池スタック
１２ａ、３２ａ、５２ａ、７２ａ  改質ガス供給通路
１２ｂ、３２ｂ、５２ｂ、７２ｂ  空気供給通路
１３ａ、３３ａ、５３ａ、７３ａ  排出ガス通路
１３ｂ、３３ｂ、５３ｂ、７３ｂ  排出ガス通路
１４、３４、５４、７４  隔壁（イオン交換膜等）
１５、３５、５５、７５  不凍液通路
１６、３６、５６、７６  ポンプ
１７、３７、５７、７７、８０、８６  ラジエータ
１８、３８、５８、８１  回収タンク
３９、５９、８２  温度調節装置
４０、６０、８３  コントローラ
４１、４２、６１、６２、８４、８５  温度センサ
６３  流量調整装置（サーモスタット等）
【図１】
0003656596.tif 000002
【図２】
0003656596.tif 000003
【図３】
0003656596.tif 000004
【図４】
0003656596.tif 000005
【図５】
0003656596.tif 000006
【図６】
0003656596.tif 000007
【図７】
0003656596.tif 000008
【図８】
0003656596.tif 000009